(57)【要約】【課題】  上蓋を一定の開度で安定して係止することができるとともに、上蓋に付着した内容液を確実に注出口に還流させることができ、清潔で使い勝手のよいヒンジキャップを提供すること。【解決手段】  ヒンジキャップにおいて、キャップ本体Ａは、先端にリップ部２０を有し注出口を形成する注出筒５と、注出筒５に上壁６の内周縁で連設し、容器本体Ｄの口部１に係止する係合筒部４とからなり、上蓋Ｂには、注出筒５内面に当接して容器内部を密封する密封筒３３の下端３６のヒンジＣ側に、開蓋途中で注出筒５内面に接する舌片４０が垂設されており、舌片と注出筒には、上蓋の所定開度において互いに嵌合する中間係止部（２８，４１）がそれぞれ設けられていることを特徴とする。【選択図】  図１
2015006913.tif 000002
【特許請求の範囲】
【請求項１】
容器本体の口部に装着されるキャップ本体と、キャップ本体にヒンジを介して連設される上蓋とからなるヒンジキャップにおいて、
キャップ本体は、先端に向けて外方に広がるリップ部を有し内容液の注出口を形成する注出筒と、注出筒に上壁の内周縁で連設し、容器本体の口部に係止する係合筒部とからなり、
上蓋には、閉蓋時に注出筒内面に当接して容器内部を密封する密封筒が設けられ、密封筒の下端のヒンジ側の所定範囲には、開蓋途中で注出筒内面に接する舌片が垂設されており、
舌片と注出筒には、上蓋の所定開度において互いに嵌合する中間係止部がそれぞれ設けられていることを特徴とするヒンジキャップ。
【請求項２】
中間係止部は、舌片の外面または注出筒の内面のいずれか一方に設けられた係止凸部と、該係止凸部に嵌合すべく他方に設けられた係止凹部であることを特徴とする請求項１記載のヒンジキャップ。
【請求項３】
係止凸部は、注出筒の先端側から注出口側に向かって漸次高くなるように肉盛りされた凸面と、凸面の下縁にリップ部内周面に略垂直な壁面を形成する上係止段部とからなり、
係止凹部は、舌片の先端側に外周面に略垂直な壁面を形成する下係止段部と、係止凸部の凸面に対応するように下係止段部の底縁から舌片の基部側に向かって深さが漸次浅くなる凹面とからなることを特徴とする請求項２記載のヒンジキャップ。
【請求項４】
中間係止部は、舌片の外面または注出筒の内面のいずれか一方に設けられた係止突起と、該係止突起に嵌合すべく他方に設けられた係止孔であることを特徴とする請求項１記載のヒンジキャップ。
【請求項５】
中間係止部は、舌片と注出筒のいずれか一方、または両方に複数設けられていることを特徴とする請求項１〜４のいずれかに記載のヒンジキャップ。
【請求項６】
中間係止部は、舌片および注出筒のそれぞれ先端部付近に設けられていることを特徴とする請求項１〜５のいずれかに記載のヒンジキャップ。
【請求項７】
舌片は、注出筒のリップ部に対応する断面弓形状をなし、上蓋を開閉する際にリップ部の内周面に接しながら該内周面上を摺動することを特徴とする請求項１〜６のいずれかに記載のヒンジキャップ。
【請求項８】
上壁の上部には、上蓋を係止する蓋係止部が環状に立設されており、注出筒と蓋係止部との間の上壁上面の径方向の幅は、ヒンジ側で大きくなっていることを特徴とする請求項１〜７のいずれかに記載のヒンジキャップ。
【請求項９】
上蓋は、密封筒より内周側の頂壁内面が、最も高い中央付近から周縁に向かって高さを漸減するドーム状をなしていることを特徴とする請求項１〜８のいずれかに記載のヒンジキャップ。
【発明の詳細な説明】
【技術分野】
【０００１】
本発明は、ヒンジを介して上蓋を連設したヒンジキャップに関し、とくに上蓋を所定の開度に係止することができるヒンジキャップに関するものである。
【背景技術】
【０００２】
キャップ本体にヒンジを介して上蓋を連結したヒンジキャップは、使用時に開いた上蓋が揺動して内容液を注出する邪魔になったり、上蓋内面に付着していた内容液が内面を伝って流下し、キャップ本体の注出口の外側に落下して周囲を汚したりすることがあった。
とくに、使用前に容器を振って内容物を混ぜるドレッシングなどの容器に装着されるヒンジキャップでは、上蓋の裏面に付着した大量の液が上蓋を開けたときに漏れだし、注出口周辺および外側を汚してしまうという問題があった。
【０００３】
このような問題を解決するために、容器本体の注出筒部１６に嵌合する蓋体１２の封止筒部２４に内側に向かって延出する板状の舌片２６を設け、この舌片２６の外面が開蓋途中で注出筒部１６の上縁に当接・係止するようにした注出キャップが従来より知られている（例えば、特許文献１参照）。
【先行技術文献】
【特許文献】
【０００４】
【特許文献１】実用新案登録第２５４６１３７号公報
【発明の概要】
【発明が解決しようとする課題】
【０００５】
しかしながら、上記特許文献１記載の注出キャップでは、単に舌片の外面を注出筒部の上縁に当接して係止するだけなので、蓋体を一定した開度で係止することはできず、力を加えすぎると蓋体が係止せず大きく開いてしまうなど、蓋体を決まった開度で安定して係止することが困難だった。
また、蓋体を開蓋途中で係止した状態で容器を使用すると、容器を傾けたり内容液を注出したりすることにより、蓋体に振動が加わったり舌片と注出筒部との摩擦力が変化したりして、蓋体が不用意に閉蓋してしまうという問題があった。
【０００６】
本発明は、上記問題を解決することを課題とし、上蓋を一定の開度で安定して係止することができるとともに、上蓋に付着した内容液を確実に注出口に還流させることができ、清潔で使い勝手のよいヒンジキャップを提供することを目的とする。
【課題を解決するための手段】
【０００７】
本発明は、上記の課題を解決するため、ヒンジキャップとして、容器本体の口部に装着されるキャップ本体と、キャップ本体にヒンジを介して連設される上蓋とからなるヒンジキャップにおいて、キャップ本体は、先端に向けて外方に広がるリップ部を有し内容液の注出口を形成する注出筒と、注出筒に上壁の内周縁で連設し、容器本体の口部に係止する係合筒部とからなり、上蓋には、閉蓋時に注出筒内面に当接して容器内部を密封する密封筒が設けられ、密封筒の下端のヒンジ側の所定範囲には、開蓋途中で注出筒内面に接する舌片が垂設されており、舌片と注出筒には、上蓋の所定開度において互いに嵌合する中間係止部がそれぞれ設けられていることを特徴とする構成を採用する。
【０００８】
中間係止部の実施形態として、中間係止部は、舌片の外面または注出筒の内面のいずれか一方に設けられた係止凸部と、該係止凸部に嵌合すべく他方に設けられた係止凹部であることを特徴とする構成、さらに、係止凸部は、注出筒の先端側から注出口側に向かって漸次高くなるように肉盛りされた凸面と、凸面の下縁にリップ部内周面に略垂直な壁面を形成する上係止段部とからなり、係止凹部は、舌片の先端側に外周面に略垂直な壁面を形成する下係止段部と、係止凸部の凸面に対応するように下係止段部の底縁から舌片の基部側に向かって深さが漸次浅くなる凹面とからなることを特徴とする構成を採用する。
【０００９】
中間係止部のさらなる実施形態として、中間係止部は、舌片の外面または注出筒の内面のいずれか一方に設けられた係止突起と、該係止突起に嵌合すべく他方に設けられた係止孔であることを特徴とする構成、また、中間係止部は、舌片と注出筒のいずれか一方、または両方に複数設けられていることを特徴とする構成、中間係止部は、舌片および注出筒のそれぞれ先端部付近に設けられていることを特徴とする構成を採用する。
【００１０】
ヒンジキャップの具体的実施形態として、舌片は、注出筒のリップ部に対応する断面弓形状をなし、上蓋を開閉する際にリップ部の内周面に接しながら該内周面上を摺動することを特徴とする構成、また、上壁の上部には、上蓋を係止する蓋係止部が環状に立設されており、注出筒と蓋係止部との間の上壁上面の径方向の幅は、ヒンジ側で大きくなっていることを特徴とする構成、さらに、上蓋の実施形態として、上蓋は、密封筒より内周側の頂壁内面が、最も高い中央付近から周縁に向かって高さを漸減するドーム状をなしていることを特徴とする構成を採用する。
【発明の効果】
【００１１】
本発明のヒンジキャップは、上蓋の密封筒の下端のヒンジ側の所定範囲に、注出口に向かって延び注出筒内面に接する舌片が垂設されており、舌片と注出筒には、上蓋の所定開度において互いに嵌合する中間係止部がそれぞれ設けられているから、上蓋を常に当該所定開度で安定して係止保持することができるとともに、上蓋に付着した内容液を舌片を伝って注出口に還流させることができ、周囲に内容液が垂れるようなことがない清潔で使い勝手のよいものとすることができる。
【図面の簡単な説明】
【００１２】
【図１】本発明の第１実施例であるヒンジキャップを容器本体に装着し、上蓋を所定開度で係止した状態を示す側面断面図
【図２】本発明の第１実施例であるヒンジキャップを閉蓋した状態を示す側面断面図
【図３】本発明の第１実施例であるヒンジキャップを開蓋した状態を示す図であり、（ａ）は上面図、（ｂ）は側面断面図
【図４】本発明の第１実施例であるヒンジキャップを開蓋した状態を示す下面図
【図５】本発明の第１実施例であるヒンジキャップの上蓋の図３（ｂ）におけるＹ矢視図（ヒンジ側から見た図）の一部断面図
【図６】本発明の第２実施例であるヒンジキャップを閉蓋した状態を示す側面断面図
【図７】本発明の第２実施例であるヒンジキャップを開蓋した状態を示す図であり、（ａ）は上面図、（ｂ）は側面断面図
【図８】本発明の第２実施例であるヒンジキャップの上蓋を所定開度で係止した状態を示す側面断面図
【図９】本発明の第３実施例であるヒンジキャップを閉蓋した状態を示す側面断面図
【図１０】本発明の第３実施例であるヒンジキャップを開蓋した状態を示す図であり、（ａ）は上面図、（ｂ）は側面断面図
【図１１】本発明の第３実施例であるヒンジキャップの上蓋を異なる開度で係止した状態を示す要部断面図で有り、（ａ）は小さい開度を示す図、（ｂ）は大きい開度を示す図
【図１２】本発明の第４実施例であるヒンジキャップを閉蓋した状態を示す側面断面図
【図１３】本発明の第４実施例であるヒンジキャップの上蓋を異なる開度で係止した状態を示す要部断面図で有り、（ａ）は小さい開度を示す図、（ｂ）は中程度の開度を示す図、（ｃ）は大きい開度を示す図
【発明を実施するための形態】
【００１３】
次に、本発明のヒンジキャップについて、実施例を示した図面を参照して説明する。
【実施例１】
【００１４】
図１〜５において、Ａはキャップ本体、ＢはヒンジＣを介してキャップ本体Ａに連設される上蓋、Ｄは容器本体である。
【００１５】
図１に示すように、容器本体Ｄの口部１は、外周面に環状の係合突条２が設けられ、キャップ本体Ａの係合筒部４に嵌合されている。
図１〜４に示すように、キャップ本体Ａは、容器内と連通する注出口を形成する注出筒５と、注出筒５に上壁６の内周縁で連設し、上壁６の下部に垂設された外筒７，内筒８からなる係合筒を具えた係合筒部４とからなっている。
上壁６の周縁から垂設された外筒７と、その内周側に垂設された内筒８とは、口部１が嵌合する嵌合溝９を隔てて配置されている。
【００１６】
外筒７の内周側には乗り越え突部１２が設けられ、口部１が嵌合溝９に嵌入されたとき、乗り越え突部１２は係合突条２を乗り越えて係止し、口部１が嵌合溝９から外れることを防止する。
外筒７の外周上縁の所定位置にはヒンジＣが設けられ、上蓋Ｂが連結されている。
また、上壁６の上部には、上蓋Ｂを係止する蓋係止部１０が環状に立設され、その上部には外方に突出する膨出部１１が設けられている。
【００１７】
係合筒部４には、使用後に容器本体Ｄからヒンジキャップを分離して廃棄するための分別機構が設けられており、該分別機構は、外筒７の軸方向に設けられた外周切り込み部１５と内周切り込み部１６からなる縦方向引き裂きラインと、破断可能な縦薄肉部１７を介して縦方向引き裂きラインに接続するスリット溝１８が上壁６上面から周方向所定範囲にわたって穿設され、スリット溝１８の底部に形成された破断可能な横薄肉部１９からなる周方向引き裂きラインとを具えている。
【００１８】
注出筒５は、先端に向かって外方にラッパ状に広がるとともに薄肉となるように形成されたリップ部２０と、中間筒部２１と、中間筒部２１の下端に連設し容器内部（注出口）を密閉する隔壁２２とを具えている。
隔壁２２には、破断可能な薄肉弱化部２３により画成され、隔壁２２から切り取られることによって容器内部と連通する注出口を形成する除去部２４が形成されており、除去部２４の上部には、ヒンジＣ側に立設する支柱２５を介してプルリング２６が連設されている。
プルリング２６には、ヒンジＣの反対側下部に薄肉の指当て部２７が設けられている。
【００１９】
隔壁２２の上面は、除去部２４のヒンジＣ側端部すなわち薄肉弱化部２３を形成するヒンジＣ側端部を最下底部とするように傾斜しており、ヒンジＣ側の所定範囲にわたって、中間筒部２１下端から薄肉弱化部２３に向けて下方に傾斜して張り出す隔壁２２の張出部２２ａが設けられている。
注出筒５のリップ部２０のヒンジＣ側内周面には、後述する上蓋Ｂの舌片４０の係止凹部４１に嵌合係止する係止凸部２８が設けられており、当該係止凸部２８が注出筒５側の中間係止部を形成している。
係止凸部２８は、ヒンジＣを中心とする周方向所定幅に形成され、リップ部２０の先端部付近に、先端側から注出口方向に向けて漸次高さを増すように肉盛りされた凸面と、その下縁にリップ部２０内周面に対して略垂直な壁面を形成する上係止段部２９とからなっている。
【００２０】
上蓋Ｂは、頂壁３１と、頂壁３１の周縁から垂下する側周壁３２と、頂壁３１の内面から垂設された密封筒３３とからなっている。
本実施例では、上蓋Ｂ内面に付着する液の流下を促すために、頂壁３１は、密封筒３３より内周側の内面がドーム状をなし、中央付近が最も高く周縁に向かって高さを漸減しながら密封筒３３に連設しているが、必ずしもこのようなドーム型の上蓋Ｂである必要はない。
側周壁３２の下端外周縁はヒンジＣに連設し、ヒンジＣの反対側の下端外周には摘み３４が設けられており、摘み３４の上部の側周壁３２は他の周囲の側周壁３２の下端部より薄肉になっている。
側周壁３２の内周面の下端近傍には、蓋係止部１０の膨出部１１が嵌合して閉蓋状態を維持する係止溝３５が設けられている。
【００２１】
密封筒３３の下端３６外周面には、注出筒５の内周面に当接する環状のシール部３７が形成され、下端３６のヒンジＣ側の半周には、上蓋Ｂの内周面に付着した内容液が注出筒５の注出口に還流して周辺に垂れないように舌片４０が垂設されている。
舌片４０は、軸方向断面が弓形状をなし、舌片４０の外周面は、上蓋Ｂを開閉する際に注出筒５のリップ部２０の内周面を摺動するように湾曲面を形成している。
図５に示すように、舌片４０は、ヒンジＣ方向から見て所定周範囲に最も高く形成された先端部を有する山形をなし、先端部の両側からは、漸次高さを減じる斜面部４４が形成されている。
【００２２】
舌片４０の先端部には、外周面に面取りをしたカット面４３が形成されて鋭角な尖端が形成されている。
舌片４０のカット面４３に続く外周面の先端部付近には、注出筒５の係止凸部２８が嵌合する係止凹部４１が設けられている。
舌片４０側の中間係止部を形成する係止凹部４１は、先端側に外周面に略垂直な壁面を形成する下係止段部４２と、係止凸部２８の凸面に対応するように下係止段部４２の底縁から舌片４０の基部側に向かって深さが漸次浅くなる凹面とからなっている。
係止凹部４１には、係止凸部２８の凸面および上係止段部２９にそれぞれ対応する凹面および下係止段部４２が形成されているので、係止凸部２８と係止凹部４１が嵌合したときには、上係止段部２９と下係止段部４２がかみあって上蓋Ｂがそれ以上開かないように確実に係止するとともに、凸面と凹面の嵌合によって上蓋Ｂが所定の開度に維持されるようになっている。
【００２３】
上蓋Ｂを係止する開度は、本実施例では約８０°であるが、内容液の注出に上蓋Ｂが邪魔にならない角度であって、容器を少し傾ければ上蓋Ｂの内周面に付着した内容液が舌片４０を伝って容易に注出口に還流することができる程度の角度とすることがよく、通常６０°〜１２０°程度とすることが好ましい。
このような上蓋の必要な開度が得られるならば、中間係止部である係止凸部２８，係止凹部４１は、それぞれ注出筒５、舌片４０の必ずしも先端部付近に限ることなく、適宜の摺動方向位置に配置されてよい。
【００２４】
また、本実施例では、舌片４０はヒンジＣ側の半周に設けられているが、必ずしも半周にわたって設けられる必要はなく、舌片４０の上記山形形状等についても、開蓋途中で注出筒５内周面に接して付着液の垂れを防止しすることができれば、適宜変更可能である。
上蓋Ｂを開蓋途中で係止する中間係止部は、本実施例では、注出筒５の側に係止凸部２８を、舌片４０の側に係止凹部４１を設けているが、逆に、注出筒５の側に係止凹部を、舌片４０の側に係止凸部を設けてもよく、適宜選択可能である。
【００２５】
次に、本実施例の使用態様と作用効果について説明する。
本実施例のヒンジキャップは、図３に示されるように、完全に開蓋した状態で一体成形される。
本実施例のヒンジキャップを容器本体Ｄに装着するには、まず上蓋ＢをヒンジＣの回りに回動して閉蓋し、容器本体Ｄの口部１を嵌合溝９にあてがって上方から押圧して打栓することにより、キャップ本体Ａの乗り越え突部１２が容器本体Ｄの係合突条２を乗り越えて、口部１が嵌合溝９に嵌合する。
なお、本実施例では、嵌合溝９を口部１に嵌合してヒンジキャップを容器本体Ｄに装着しているが、必ずしもこのような手段に限らず、ねじ結合などの他の手段によって装着してもよい。
【００２６】
上蓋Ｂを閉じる際には、まず舌片４０の先端部が注出筒５のリップ部２０の内周面に当接して係止凸部２８のなだらかに肉盛りされた面に乗り上げるようになり、下係止段部４２が係止凸部２８を乗り越えて上係止段部２９に係合すると同時に、係止凸部２８が係止凹部４１に嵌合して上蓋Ｂが係止される。
この状態からさらに上蓋Ｂを閉じる方向に力を加えると、係止凸部２８の凸面と係止凹部４１の凹面はなだらかに係合しているので、小さな力で係止状態が速やかに解除され、舌片４０はリップ部２０の内周面を摺動しながら上蓋Ｂが回動し、蓋係止部１０の膨出部１１が上蓋Ｂの係止溝３５に嵌合することで閉蓋動作が完了し、図２に示される閉蓋状態となる。
このように、リップ部２０の内周面は舌片４０の少なくとも先端部と摺接するから、全体として弧状の湾曲面を形成しているが、必ずしも全面が湾曲している必要はなく、一部が傾斜面であってもよい。
【００２７】
ヒンジキャップが装着された容器を使用するには、まず、上蓋Ｂの摘み３４に手指を掛けて引き上げ、膨出部１１と係止溝３５の嵌合を解除して上蓋Ｂを回動させていくと、舌片４０の下係止段部４２が注出筒５の上係止段部２９に係合するとともに係止凸部２８が係止凹部４１に嵌合して、図１に示すように上蓋Ｂを常に一定の所定開度で係止する。
この状態で、プルリング２６を引き上げ、薄肉弱化部２３を破断して隔壁２２の除去部２４を切り取り、注出口を開口する。
その際、プルリング２６には柔軟な薄肉の指当て部２７が設けられているので、指が痛くなるようなことがない。
【００２８】
上蓋Ｂは所定の開度に係止されているので、そのまま容器を傾ければ、容器内の内容液は注出口から注出筒５の内周面に案内されて注出され、上蓋Ｂが揺動して注出の邪魔をしたり注出液によって汚れたりすることがなく、上蓋Ｂに手を添えなくてはならないような面倒もない。
また、使用後に閉蓋した状態で容器を倒したり、容器を振ったりしたときには、注出口からあふれた内容液が上蓋Ｂの内周面に付着することがあるが、再度容器を使用するために上蓋Ｂを開けたときには、係止されて立ち上がった上蓋Ｂの内周面に付着していた内容液は、ヒンジＣ側に流下して舌片４０を伝い注出口に還流するから、付着液が垂れて周囲を汚すようなことがない。
なお、密封筒３３より内周側の頂壁３１内面はドーム状になっているので、頂壁３１内面に付着した液が密封筒３３へ速やかに流下することを促す。
【００２９】
舌片４０の先端部には、カット面４３によって鋭角な尖端が形成されているので、舌片４０の内周面を伝ってきた液は該尖端から垂れやすくなっており、閉蓋した後には、最下部となった舌片４０の先端部の尖端から速やかに付着液が流下していき、キャップ内は清潔に保たれる。
なお、上蓋Ｂが係止する開度が比較的大きく、付着液が舌片４０の基部に残留液として溜まってしまう場合でも、容器を使用するために傾けたり、使用後に再度上蓋Ｂを閉めたりするときには、残留液は速やかに舌片４０を伝って注出口に還流するから、残留液によって周囲を汚すようなこともない。
【００３０】
残留液が比較的多量で、一度に注出口に還流するようなことがあっても、隔壁２２のヒンジＣ側には、張出部２２ａが下方に傾斜しながら注出口に張り出しているので、舌片４０の先端部から流下する残留液が直接容器内に落ちて内容液を飛散するようなことを防止し、容器内を清潔に保つことができる。
また、舌片４０は、注出筒５のリップ部２０内周面に対応する弓形の外周面を形成しているから、カット面４３によって形成される尖端とともに、上蓋Ｂを閉じるときにリップ部２０の内周面を摺接して扱き、リップ部２０に流下し付着した内容液の流下を促す役割を果たす。
【００３１】
さらに、上壁６は、注出筒５との連設部位と蓋係止部１０との連設部位の間の幅がヒンジＣ側で広くなるように形成されているため、注出筒５と蓋係止部１０とのヒンジＣ側の間隙ｂは広いスペースが確保されており、不用意に内容液が上壁６部分に垂れてしまった場合でも、垂れた液を拭き取ってキャップ内を清潔に保つことができる。
さらに、本実施例のヒンジキャップは、容器の使用を終えた後、上蓋Ｂを強く引き上げて係止凸部２８と係止凹部４１との係止を解除し、さらに引き上げることによって縦方向引き裂きラインから横方向引き裂きラインへと破断を進め、乗り越え突部１２による容器本体Ａへの締め付けを解放すれば、容易に容器本体Ａから分別して廃棄することができる。
【実施例２】
【００３２】
次に、互いに嵌合して上蓋を所定開度に保持する中間係止部の構成を変更した第２実施例について説明する。
以下、第１実施例と同一の構成部分には同一の符号を付し、相違点を中心に説明する。
【００３３】
図６〜８に示すように、本実施例における中間係止部は、注出筒５に設けられた係止孔５０と、舌片４０に設けられた係止突起５５とからなっている。
係止孔５０は、注出筒５のリップ部２０のヒンジＣ側の先端部付近に設けられ、係止孔５０の内周面５１は、少なくとも上下方向の面において、外方に向けて先細りとなる傾斜面が形成されている。
係止孔５０の形状は、本実施例では周方向に長辺の長孔状となっているが、これに限定されることなく、楕円状、円形状など、上蓋Ｂを係止するための嵌合強度との関係で適宜決定されうる。
【００３４】
係止突起５５は、舌片４０の外周面の先端部に設けられており、その少なくとも上下方向の幅が先細りとなるように先端面５６および後部面５７が傾斜面に形成された周方向所定幅のリブ状突起となっている。
係止突起５５の形状も、本実施例のような所定幅のリブ状突起に限定されず、係止孔５０にあわせて、楕円状、円形状など、上蓋Ｂを係止するための嵌合強度との関係で適宜決定されうる。
また、本実施例では、注出筒５側に係止孔５０を、舌片４０側に係止突起５５を設けたが、反対に、注出筒５側に係止突起を、舌片４０側に係止孔を設けてもよい。さらに、係止孔５０、係止突起５５はそれぞれ注出筒５、舌片４０の先端部付近に設けられているが、上蓋Ｂを必要な開度に係止することができれば、必ずしも先端部付近でなくとも摺動方向の適宜個所でよい。
【００３５】
本実施例では、中間係止部を係止孔５０と係止突起５５としたので、嵌合したときの係合力が強く、上蓋Ｂを開蓋途中の所定開度でしっかり保持することができる。
しかも、係止孔５０と係止突起５５は、内周面５１の上下面と先端面５６および後部面５７がそれぞれ傾斜面で接しているので、互いの嵌合を解除することが比較的容易であるとともに、解除が困難な場合があったとしても、係止孔５０の外側から係止突起５５を押し出してやれば確実に嵌合を解除することができ、閉蓋および開蓋が困難になるということはない。
その他の使用態様、作用効果は、実施例１と同様である。
【実施例３】
【００３６】
次に、いずれか一方の中間係止部を複数設けることにより、開蓋途中で上蓋Ｂを複数段階の開度で係止することができる第３実施例について説明する。
以下、第１実施例と同一の構成部分には同一の符号を付し、相違点を中心に説明する。
【００３７】
図９〜１１に示すように、本実施例では、第１実施例における係止凹部４１を舌片４０の外周面に２個所設け、摺動方向に沿って先端側から係止凹部４１ａ、係止凹部４１ｂとしている。
注出筒５のヒンジＣ側内周面の先端付近に係止凸部２８が設けられ、上蓋Ｂの異なる所定開度で、係止凸部２８が係止凹部４１ａ、４１ｂにそれぞれ嵌合し、係止凸部２８の上係止段部２９が係止凹部４１ａ、４１ｂのそれぞれ下係止段部４２ａ、４２ｂに２段階で係合するようになっている。
上蓋Ｂの頂壁３１はドーム型ではないが、実施例１と同様にドーム型としてもよいことはもちろんであり、その他の構成は、第１実施例と同じである。
【００３８】
本実施例のヒンジキャップは、上蓋Ｂを異なる開度で２段階に係止することができるので、内容液の残量に応じて、内容液が残り少なくなったときには上蓋Ｂを大きな開度で係止して、内容液を注出しやすくすることができる。
なお、本実施例では、一方の中間係止部を係止凹部４１ａ、４１ｂの２個所に設けたが、２個所に限らずより多くの複数個所に設けることができ、その場合は、より多くの異なる開度で上蓋Ｂを多段階に係止することができる。
【００３９】
また、本実施例では、注出筒５の側に係止凸部２８を、舌片４０の側に係止凹部４１ａ，４１ｂを設けているが、逆に、注出筒５の側に係止凹部を、舌片４０の側に係止凸部を設けてもよく、適宜選択可能である。
さらに、本実施例では、中間係止部を係止凸部と係止凹部との組合せとしたが、実施例２のように、係止突起と係止孔との組合せとしても同様に実施可能である。
その他の使用態様と作用効果は、実施例１と同様である。
【実施例４】
【００４０】
次に、第３実施例における係止凸部２８をさらに複数設け、中間係止部を注出筒５と舌片４０の両方にそれぞれ複数設けた第４実施例について説明する。
以下、第１，３実施例と同一の構成部分には同一の符号を付し、相違点を中心に説明する。
【００４１】
図１２，１３に示すように、本実施例では、第３実施例における係止凸部２８を注出筒５のヒンジＣ側内周面に２個所設け、摺動方向に沿って先端側から係止凸部２８ａ、係止凸部２８ｂとしている。
係止凸部２８ａ、２８ｂは、係止凹部４１ｂ、４１ａにそれぞれ同時に嵌合することができるような位置関係に形成されるとともに、ほぼ同一の形状を有して、それぞれ係止凹部４１ａ、４１ｂのいずれにも嵌合可能となっている。
また、係止凸部２８ａ、２８ｂには、それぞれ上係止段部２９ａ，２９ｂが設けられ、上蓋Ｂの開蓋を所定開度で一旦止めることができるように下係止段部４２ａ、４２ｂに係合する。
【００４２】
本実施例では、係止凸部２８ａ、２８ｂが係止凹部４１ａ、４１ｂのいずれにも嵌合可能なので、図１３（ａ）に示すように、係止凸部２８ｂ−係止凹部４１ｂの嵌合状態、図１３（ｂ）に示すように、係止凸部２８ａ−係止凹部４１ｂ、係止凸部２８ｂ−係止凹部４１ａの嵌合状態、図１３（ｃ）に示すように、係止凸部２８ａ−係止凹部４１ａの嵌合状態という、３段階の異なる開度で上蓋Ｂを係止することができ、内容液の残量などに対応した適切な開度を選択することができる。
また、係止凸部２８ａ、２８ｂが係止凹部４１ｂ、４１ａにそれぞれ同時に嵌合する、すなわち２個所で嵌合する図１３（ｂ）に示す状態では、上蓋Ｂを係止する力が強まり、使用中に不用意に閉蓋するようなことを確実に防ぐことができる。
【００４３】
なお、本実施例においても、係止凸部は２８ａ、２８ｂの２個所に限らず、リップ部２０のシール部３７に接する部位よりも先端側に設けることができる限り、さらに多くの複数個所とすることができ、多段階の開度で上蓋Ｂを係止することができるとともに、係止強度を高めることができる。
また、注出筒５の側に係止凹部を、舌片４０の側に係止凸部を設けてもよく、さらに、実施例２の中間係止部のように、係止突起と係止孔との組合せとしてもよいことは実施例３と同様である。
その他の使用態様と作用効果は、実施例１、３と同様である。
【産業上の利用可能性】
【００４４】
本発明のヒンジキャップは、上蓋を常に当該所定開度に維持するとともに、上蓋に付着した内容液を舌片を伝って注出口に還流させることができるので、清潔で使い勝手のよいヒンジキャップとして広く使用することができ、とくに清潔さを必要とする飲食物や調味料などを充填する容器のキャップとして好適に利用できる。
【符号の説明】
【００４５】
Ａ                    キャップ本体
Ｂ                    上蓋
Ｃ                    ヒンジ
Ｄ                    容器本体
ｂ                    間隙
１                    口部
２                    係合突条
４                    係合筒部
５                    注出筒
６                    上壁
７                    外筒
８                    内筒
９                    嵌合溝
１０                    蓋係止部
１１                    膨出部
１２                    乗り越え突部
１５                    外周切り込み部
１６                    内周切り込み部
１７                    縦薄肉部
１８                    スリット溝
１９                    横薄肉部
２０                    リップ部
２１                    中間筒部
２２                    隔壁
２２ａ                  張出部
２３                    薄肉弱化部
２４                    除去部
２５                    支柱
２６                    プルリング
２７                    指当て部
２８，２８ａ，２８ｂ    係止凸部（中間係止部）
２９，２９ａ，２９ｂ    上係止段部
３１                    頂壁
３２                    側周壁
３３                    密封筒
３４                    摘み
３５                    係止溝
３６                    下端
３７                    シール部
４０                    舌片
４１，４１ａ，４１ｂ    係止凹部（中間係止部）
４２，４２ａ，４２ｂ    下係止段部
４３                    カット面
４４                    斜面部
５０                    係止孔（中間係止部）
５１                    内周面
５５                    係止突起（中間係止部）
５６                    先端面
５７                    後部面
【図１】
2015006913.tif 000003
【図２】
2015006913.tif 000004
【図３】
2015006913.tif 000005
【図４】
2015006913.tif 000006
【図５】
2015006913.tif 000007
【図６】
2015006913.tif 000008
【図７】
2015006913.tif 000009
【図８】
2015006913.tif 000010
【図９】
2015006913.tif 000011
【図１０】
2015006913.tif 000012
【図１１】
2015006913.tif 000013
【図１２】
2015006913.tif 000014
【図１３】
2015006913.tif 000015